(57)【特許請求の範囲】
【請求項１】
安全操作可能な自動折畳傘のハンドル装置であって、
前記折畳傘は、
所定の軸線方向に沿って伸縮可能に少なくとも上パイプと下パイプを入れ子式に摺動可能に組み合わせてなり、軸沿いに上端と下端を有する中棒と、
前記中棒の上側に固定され、前記中棒が収縮した状態における折畳位置と前記中棒が伸びた状態における伸長位置との間で移動可能である上ろくろと、
前記中棒上に軸線方向に沿って、傘を展開させる、前記上ろくろに近い近接位置と、傘を折畳む、前記上ろくろから遠い遠隔位置との間を摺動可能に設けられたランナーと、
前記上ろくろ及び前記ランナーに多数の骨部材が枢動可能に連結されてなり、前記ランナーが前記遠隔位置及び前記近接位置の間に移動されるとき屈折された閉傘状態及び展開された開傘状態の間に動かされる骨組ユニットと、
前記上ろくろが前記折畳位置から前記伸長位置へ移動され、同時に前記ランナーが前記遠隔位置から前記近接位置に移動されると、前記中棒の上端を付勢して前記骨組ユニットが前記開傘状態に保持されるように前記中棒中に取り付けられる圧縮ばねと、
前記上ろくろに連結され、前記上ろくろの移動によって引張られる連結端部と、該連結端部の反対側の繋留端部と、前記連結端部から前記ランナー上の巻きつきを介して前記中棒内を通って前記繋留端部まで延伸される引き紐とを有し、前記ランナーが前記近接位置に移動されると、前記繋留端部が前記引き紐が引張られる引伸ばし位置に定位され、前記ランナーが前記遠隔位置に移動されると、前記繋留端部が前記引き紐が弛む弛緩位置に定位される第１の引き手段と、を備え、
前記ハンドル装置は、
前記下パイプの下端部を遮へいして収納する収容空間を画成するように設けられるグリップスリーブと、
前記第１の引き手段の繋留端部が連結され、前記繋留端部を引伸ばし位置に保持させる第１の方向、及び前記繋留端部が前記弛緩位置に動かされる第２の方向に揺動可能に係止されてなる定位ブロックと、
前記グリップスリーブ内にリール軸線を中心として回転可能に取り付けられ、前記リール軸線の周りに互いに角間隔をとって複数の突起が設けられたラチェット部材を設けているリール部材と、
前記上ろくろ又は前記定位ブロック及び前記リール部材の間に設けられ、前記上ろくろ又は前記定位ブロックと共に移動する連結端部と、引張られて前記リール部材に固定される巻き端部とを有する第２の引き手段と、
前記巻き端部が前記リール部材に巻き取られるように付勢するうず巻ばねと、
前記ラチェット部材の複数の突起のいずれに係止するように回動可能に設けられ、前記ラチェット部材の複数の突起のいずれに係止されると前記リール部材を所定の一方向に回転させて前記巻き端部が巻きつけられる係止位置及び前記ラチェット部材の突起との係止から解除されて前記リール部材を回転自在にする非係止位置の間に回動されるつめ端部と、カム面とを有するつめ部材と、
手動操作により前記グリップスリーブに対して所定のストロークだけ移動される押しボタンと、
前記押しボタンのストローク移動に応じて、前記ランナーが前記遠隔位置から前記近接位置に移動して前記骨組ユニットが展開されるように、前記定位ブロックを前記第１の方向から前記第２の方向へ揺動させるように構成された作動部材と、
前記グリップスリーブ内に設けられ、前記つめ部材のカム面と対応して接触する当接面を有し、前記定位ブロックが前記弛緩位置に移動されると、前記軸線方向に沿って下側位置から上側位置に移動されて、前記つめ端部が前記非係止位置から前記係止位置に動かされる伝達機構と、
前記つめ端部を付勢して前記係止位置に定位させる第１の付勢部材と、
前記伝達機構を付勢して前記上側位置に定位させる第２の付勢部材と、
を備えており、
前記つめ部材は、前記グリップスリーブに前記リール軸線と平行な枢軸方向を中心として枢動可能に設けられて前記つめ端部と反対側の枢動端部と、前記枢動端部と前記つめ端部との間の中間部とを有し、前記中間部は、前記伝達機構と接触して係止されるカム面が形成され、
前記収容空間は、前記下パイプの下端部を収納する上室と、前記リール部材を収納する下室とがあり、
前記伝達機構は、前記下パイプの下端部に対して同軸的に移動する当接部材と、該当接部材から前記下室に向かって前記当接面を有するカム端部に至って延伸する係止座とを有し、
前記グリップスリーブは、前記上室において前記当接部材に前記軸線方向に対面する天井部を有し、
前記当接部材は、前記第２の付勢部材によって上側位置へ動かされ、前記天井部に当接されると、前記カム面及び前記当接面が接触係止され、前記つめ端部が前記非係止位置から前記係止位置に移動されることを特徴とする自動折畳傘のハンドル装置。
【請求項２】
前記グリップスリーブは、固定部を有し
前記伝達機構は更に、
前記係止座に枢動可能に取り付けられた軸支部と、
前記押しボタンの下方ストローク移動により押動される押し端部と、
前記押しボタンの下方ストローク移動に応じて、前記固定部を引掛けて前記伝達機構が前記下側位置に定位される引掛け位置から、前記固定部から離れて前記伝達機構が前記上側位置に定位される非引掛け位置に回動可能に設けられる回動端部と、
前記回動端部が前記引掛け位置に移動するように付勢する付勢部材と、
を有することを特徴とする請求項１に記載のハンドル装置。
【請求項３】
更に、前記軸線方向において前記ランナーから延伸されて底端部を有する押圧部を有し、
前記押圧部は前記第２の付勢部材の弾性力に対抗して前記当接部材に接触して係止されると、前記伝達機構が前記下側位置に定位されることを特徴とする請求項２に記載のハンドル装置。
【請求項４】
前記押圧部は、定位孔が形成され、
前記押しボタンは、前記定位孔に係止されると前記上ろくろが前記圧縮ばねの弾性力に対抗して前記折畳位置に定位されると共に前記押しボタンの上方ストローク移動に応じて前記定位孔から脱離されるように設けられる突起が形成されることを特徴とする請求項３に記載のハンドル装置。
【請求項５】
前記作動部材は、前記押しボタンによる下方ストローク移動に応じて動かされる押し端部と、前記押し端部の動きにより前記定位ブロックを前記第１の方向から前記第２の方向へ揺動させる作動端部とを有することを特徴とする請求項１に記載のハンドル装置。
【請求項６】
前記作動部材の前記押し端部は、前記押しボタンに枢動可能に取り付けられ、前記押し端部の枢動により、前記作動端部が前記定位ブロックと係止される作動位置及び、前記定位ブロックとの係止から解除される非作動位置の間に往復回動することができることを特徴とする請求項５に記載のハンドル装置。
【請求項７】
更に、前記第２の付勢部材の弾性力に対抗して前記当接部材に接触して係止されると前記伝達機構が前記下側位置に定位されるべく、前記上ろくろから離れて前記上パイプより延伸する底端部を備えた押圧部を有し、
前記押圧部は、定位孔が形成され、
前記押しボタンは、前記定位孔に定位されると前記上ろくろが前記圧縮ばねの弾性力に対抗して前記折畳位置に定位されると共に、前記押しボタンの上方ストローク移動に応じて前記定位孔から脱離されるように設けられる突起が形成されることを特徴とする請求項１に記載のハンドル装置。
【発明の詳細な説明】
【技術分野】
【０００１】
本発明は、傘に関し、特に傘の開閉を安全に行うための自動折畳傘のハンドル装置に関する。
【背景技術】
【０００２】
図１は、従来の自動折畳傘の一例を示す図である。図示の自動折畳傘は、所定の長さに延伸可能な中棒１０１を有するフレーム１と、該中棒１０１の下端に取り付けられ、制御ユニット４が組み込まれているハンドル３と、該ハンドル３をフレーム１に連結してなる連動機構５とを備え、制御ユニット４におけるラッチレバー４０１を用いて上シャフト１０１´が係止されて中棒１０１を入れ子式に折畳むようになっている。ハンドル３に設けられた押しボタン４０２を押してラッチレバー４０１が動かされて上シャフト１０１´の係止状態を解除すれば、開傘ばね２の弾性力によって中棒１０１が入れ子式に伸びると共に、ランナー１０３を上ろくろ１０２に向かって移動させ、骨組１０４が展開されて傘が開くことができる。開いた傘を閉じるとき、押しボタン４０２を押すと、ラッチレバー４０１の下端部が動かされ、バイアスプレート４０３が連動され、定位部材５０１による係止を解除してランナー１０３が中棒１０１の下側に向かって摺動して骨組１０４を閉じることができる。また、中棒１０１を下向きに収縮させると入れ子式に折畳むことができる（例えば、特許文献１参照）。
【０００３】
このような自動開閉装置付き折畳傘は自動開傘／閉傘する機能を有するが、ユーザーは、開傘ばね２の弾性力に対抗できる力で閉じなければならないため、押しボタン４０２の押し操作中、力が余って滑ったりすると、中棒１０１が急に伸びて飛び出し、骨組１０４が展開するので、傘自身が故障してしまう可能性があるだけでなく、ユーザーや他人が怪我をするおそれもある。
【０００４】
また、傘の開閉中、中棒の不意の飛び出しを防ぐようハンドルに安全装置を組み込んだ構成を有する自動折畳傘が開示されている（例えば、特許文献２参照）。この自動折畳傘は、上ろくろや保持ブロック（retained block）、作動部材（actuator）に連結された紐が巻回されているリール手段及び一方向保持機構が取り付けられている（特許文献２参照）。
【先行技術文献】
【特許文献】
【０００５】
【特許文献１】台湾実用新案登録第３５４８７４号
【特許文献２】米国特許第７７９８１６０Ｂ２号明細書
【発明の概要】
【発明が解決しようとする課題】
【０００６】
特許文献２に記載された従来の折畳傘は、作動部材を動かし、リール手段で紐を巻き回すことによって中棒を入れ子式に折畳むことができると共に、紐が繰り出し方向に引き出されることを回避することができるので、中棒の急な飛び出しを防ぐことができるが、構造が複雑である問題点がある。
【０００７】
本発明は、上記問題点に鑑みてなされたものであり、構造がシンプルであり、且つ簡単な操作により傘の折り畳み操作において中棒の急な飛び出しを回避することができる自動折畳傘のハンドル装置を提供することを目的とする。
【課題を解決するための手段】
【０００８】
上記目的を達成するために、本発明は、安全操作可能な自動折畳傘のハンドル装置であって、前記折畳傘は、所定の軸線方向に沿って伸縮可能に少なくとも上パイプと下パイプを入れ子式に摺動可能に組み合わせてなり、軸沿いに上端と下端を有する中棒と、前記中棒の下端に近い折畳位置と前記中棒の上端に近い伸長位置の間に移動可能に前記中棒の上側に固定される上ろくろと、前記中棒上に軸線方向に沿って傘を展開させる上側位置と傘を折畳む下側位置との間を摺動可能に設けられたランナーと、前記上ろくろ及び前記ランナーに多数の骨部材が枢動可能に連結されてなり前記ランナーが前記上ろくろから遠い遠隔位置及び前記上ろくろに近い近接位置の間に移動されるとき屈折された閉傘状態及び展開された開傘状態の間に動かされる骨組ユニットと、前記上ろくろが前記折畳位置から前記伸長位置へ移動され、同時に前記ランナーが前記遠隔位置から前記近接位置に移動されると、前記中棒の上端を付勢して前記骨組ユニットが前記展開状態に保持されるように前記中棒中に取り付けられる圧縮ばねと、前記上ろくろに連結され、前記上ろくろの移動によって引張られる連結端部と、該連結端部の反対側の繋留端部と、前記連結端部から前記ランナー上の巻きつきを介して前記中棒内を通って前記繋留端部まで延伸される引き紐とを有し、前記ランナーが前記近接位置に移動されると、前記繋留端部が前記引き紐が引張られる引伸ばし位置に定位され、前記ランナーが前記遠隔位置に移動されると、前記繋留端部が前記引き紐が弛む弛緩位置に定位される第１の引き手段と、を備え、前記ハンドル装置は、前記下パイプの下端部を遮へいして収納する収容空間を画成するように設けられるグリップスリーブと、前記第１の引き手段の繋留端部が連結され、前記繋留端部を引伸ばし位置に保持させる第１の方向、及び前記繋留端部が前記弛緩位置に動かされる第２の方向に揺動可能に係止されてなる定位ブロックと、前記グリップスリーブ内にリール軸線を中心として回転可能に取り付けられ、前記リール軸線の周りに互いに角間隔をとって複数の突起が設けられたラチェット部材を設けているリール部材と、前記上ろくろ又は前記定位ブロック及び前記リール部材の間に設けられ、前記上ろくろ又は前記定位ブロックと共に移動する連結端部と、引張られて前記リール部材に固定される巻き端部とを有する第２の引き手段と、前記巻き端部が前記リール部材に巻き取られるように付勢するうず巻ばねと、前記ラチェット部材の複数の突起のいずれに係止するように回動可能に設けられ、前記ラチェット部材の複数の突起のいずれに係止されると前記リール部材を所定の一方向に回転させて前記巻き端部が巻きつけられる係止位置及び前記ラチェット部材の突起との係止から解除されて前記リール部材を回転自在にする非係止位置の間に回動されるつめ端部と、カム面とを有するつめ部材と、手動操作により前記グリップスリーブに対して所定のストロークだけ移動される押しボタンと、前記押しボタンのストローク移動に応じて前記定位ブロックが前記第１の方向から前記第２の方向へ回動されると、前記骨組ユニットが展開されて前記ランナーが前記近接位置から前記遠隔位置に移動される作動部材と、前記グリップスリーブ内に設けられ、前記つめ部材のカム面と対応して接触する当接面を有し、前記定位ブロックが前記弛緩位置に移動されると、前記軸線方向に沿って前記下側位置から前記上側位置に移動されて、前記つめ端部が前記非係止位置から前記係止位置に動かされる伝達機構とを備えていることを特徴とする。
【０００９】
本発明のハンドル装置において、前記つめ部材は、前記グリップスリーブに前記リール軸線と平行な枢軸方向を中心として枢動可能に設けられて前記つめ端部と反対側の枢動端部と、前記枢動端部と前記つめ端部との間の中間部とを有し、前記中間部は、前記伝達機構と接触して係止されるカム面が形成されることが好ましい。
【００１０】
本発明のハンドル装置において、更に、前記つめ端部を付勢して前記係止位置に定位させる第１の付勢部材と、前記伝達機構を付勢して前記上側位置に定位させる第２の付勢部材とを有することが好ましい。
【００１１】
本発明のハンドル装置において、前記収容空間は前記下パイプの下端部を収納する上室と、前記リール部材を収納する下室とがあり、前記伝達機構は、前記下パイプの下端部に対して同軸的に移動する当接部材と、該当接部材から前記下室に向かって前記当接面を有するカム端部に至って延伸する係止座とを有し、前記グリップスリーブは、前記上室において前記当接部材に前記軸線方向に対面する天井部を有することが好ましい。このように、前記当接部材は、前記第２の付勢部材によって上側位置へ動かされ、前記天井部に当接されると、前記カム面及び前記当接面が接触係止され、前記つめ端部が前記非係止位置から前記係止位置に移動される。
【００１２】
本発明のハンドル装置において、前記グリップスリーブは、固定部を有し、前記伝達機構は更に、前記係止座に枢動可能に取り付けられた軸支部と、前記押しボタンの下方ストローク移動により押動される押し端部と、前記押しボタンの下方ストローク移動に応じて、前記固定部を引掛けて前記伝達機構が前記下側位置に定位される引掛け位置から、前記固定部から離れて前記伝達機構が前記上側位置に定位される非引掛け位置に回動可能に設けられる回動端部と、前記回動端部が前記引掛け位置に移動するように付勢する付勢部材と、を有することが好ましい。
【００１３】
本発明のハンドル装置において、更に、前記軸線方向において前記ランナーから延伸されて底端部を有する押圧部を有することが好ましい。このようにして、前記押圧部は前記第２の付勢部材の弾性力に対抗して前記当接部材に接触して係止されると、前記伝達機構が前記下側位置に定位される。
【００１４】
本発明のハンドル装置において、前記押圧部は、定位孔が形成され、前記押しボタンは、前記定位孔に係止されると前記上ろくろが前記圧縮ばねの弾性力に対抗して前記折畳位置に定位されると共に前記押しボタンの上方ストローク移動に応じて前記定位孔から脱離されるように設けられる突起が形成されることが好ましい。
【００１５】
本発明のハンドル装置において、前記作動部材は、前記押しボタンによる下方ストローク移動に応じて動かされる押し端部と、前記押し端部の動きにより前記定位ブロックを前記第１の方向から前記第２の方向へ回動させる作動端部とを有することが好ましい。
【００１６】
本発明のハンドル装置において、前記作動部材の前記押し端部は、前記押しボタンに枢動可能に取り付けられることが好ましい。このようにして、前記押し端部の枢動により、前記作動端部が前記定位ブロックと係止される作動位置及び前記定位ブロックとの係止から解除される非作動位置の間に往復回動することができる。
【００１７】
本発明のハンドル装置において、更に、前記第２の付勢部材の弾性力に対抗して前記当接部材に接触して係止されると前記伝達機構が前記下側位置に定位されるべく、前記上ろくろから離れて前記上パイプより延伸する底端部を備えた押圧部を有し、前記押圧部は、定位孔が形成され、前記押しボタンは、前記定位孔に定位されると前記上ろくろが前記圧縮ばねの弾性力に対抗して前記折畳位置に定位されると共に、前記押しボタンの上方ストローク移動に応じて前記定位孔から脱離されるように設けられる突起が形成されることが好ましい。
【発明の効果】
【００１８】
本発明の折畳傘のハンドル装置によれば、骨組ユニットを縮ませたとき、つめ端部が係止位置に移動されているので、中棒が不意に飛び出して傘を開くことを回避することができ、ユーザーに危険が及ぶことを避けることができ、使用安全性を大幅に高めることができる。
【図面の簡単な説明】
【００１９】
【図１】従来の自動折畳傘の一例を概略的に示す図である。
【図２】本発明に係るハンドル装置の第１の実施形態が適用される自動折畳傘が閉傘且つ折畳まれた場合を概略的に示す断面図である。
【図３】図２のIII-III線に沿った断面図である。
【図４】図２のIV-IVに沿った断面図である。
【図５】図２のハンドル装置を示す分解斜視図である。
【図６】中棒が伸びて開傘した状態を示す断面図である。
【図７】図６のVII-VII線に沿った断面図である。
【図８】中棒の伸長状態から折畳状態への動作を説明する断面図である。
【図９】中棒の伸長状態から折畳状態への動作を説明する断面図である。
【図１０】図９のＸ-Ｘ線に沿った断面図である。
【図１１】本発明に係るハンドル装置の第２の実施形態が適用される自動折畳傘の一部を示す断面図である。
【図１２】図１１のXII-XII線に沿った断面図である。
【図１３】図１１の伸長状態を示す断面図である。
【図１４】図１３のXIV-XIV線に沿った断面図である。
【図１５】図１１の折畳状態を示す断面図である。
【図１６】図１５のXV-XV線に沿った断面図である。
【発明を実施するための形態】
【００２０】
以下、図面を参照しながら本発明の実施形態について説明する。なお、同一構成及び機能を有する構成要素については、同一番号を付してその説明を省略する。
【００２１】
（第１の実施形態）
本発明に係るハンドル装置は、自動折畳傘に適用されるものであり、図２は、本発明に係るハンドル装置の第１の実施形態が適用される自動折畳傘の折畳状態を概略的に示す断面図である。
【００２２】
本発明に係る折畳傘は、中棒２０と、上ろくろ４０と、ランナー５０と、折畳式骨組ユニット６０と、圧縮ばね３０、第１の引き手段７１とを備えている。中棒２０は、上端と下端を有する、所定の軸線方向Ｌ１に沿って伸縮可能に、２本以上の軸パイプ例えば上パイプ２２、中パイプ２３、下パイプ２１を上から入れ子式に摺動可能に組み合わしてなる。
【００２３】
上ろくろ４０は、中棒２０の上側に固定されている。管状係止部材４１が上ろくろ４０から下向きにのびて中棒２０内に設けられている。
【００２４】
ランナー５０は、中棒２０上における傘を展開させる上側位置にて軸線方向Ｌ１に沿って中棒２０が上向きに伸びる伸長位置と、中棒２０上における傘を折畳む下側位置にて中棒２０が下側に収縮して折り畳まれる折畳位置との間に摺動可能に設けられている。
【００２５】
骨組ユニット６０は、上ろくろ４０とランナー５０とに多数の骨部材が枢動可能に連結されてなりランナー５０が上ろくろ４０から遠い遠隔位置から上ろくろ４０に近い近接位置へ移動されるとき屈折された閉傘状態及び展開された開傘状態に動かされるようになっている。
【００２６】
圧縮ばね３０は、中棒２０内に配置されており、中棒２０が上ろくろ４０と共に中棒２０の収縮状態から伸長状態に伸びて、ランナー５０が遠隔位置から近接位置に摺動するように付勢する。このように、骨組ユニット６０を開傘状態に定位させることができる。
【００２７】
第１の引き手段７１は、上ろくろ４０によって引張られて動かされる連結端部７１１と、連結端部７１１からランナー５０上の巻きつきを介して中棒２０内を通って該連結端部７１１の反対側の繋留端部７１３まで延伸される引き紐７１２とを有する。ランナー５０が近接位置に移動したとき、繋留端部７１３が引き紐７１２が引張られる引き伸ばし位置に定位され、一方、ランナー５０が遠隔位置に移動したとき、繋留端部７１３が引き紐７１２が弛む弛緩位置に定位される。このようにして、骨組ユニット６０を屈曲させて閉傘状態になるように定位することができる。
【００２８】
図２〜５に示すように、本発明に係るハンドル装置は、グリップスリーブ１０と、押圧部５１と、定位ブロック７２と、安全機構９０と、ボタン手段８０とを備えている。グリップスリーブ１０は、収容空間を画成する外壁１２と、該外壁１２内に設けられ、該収容空間を上室１１４と下室１１７とに仕切っている内壁１１とを有する。上室１１４は下パイプ２１の下端部を遮へいして収納してなる。内壁１１は、上室１１４に設けられた天井部１１５と、軸線方向Ｌ１と直角なリール軸線方向Ｌ２沿いに延伸されて下室１１７に設けられたリール軸１１１と、リール軸線方向Ｌ２に平行な枢動軸線方向沿いに延伸されて下室１１７に設けられた枢軸１１２と、リール軸１１１に設けられ、長穴に形成された固定部１１６を設けている固定板１１３とを有する。
【００２９】
この形態において、押圧部５１は、軸線方向Ｌ１においてランナー５０から底端部５１１に至るように延伸されてなり、ランナー５０が遠隔位置に移動したとき上室１１４に挿入される。押圧部５１には定位孔５２が形成されている。
【００３０】
定位ブロック７２は、第１の引き手段７１の繋留端部７１３が連結され、定位ブロック７２が下パイプ２１の止め部２１１によって係止されて繋留端部７１３を引伸ばし位置に保持させる第１の方向、及び定位ブロック７２が止め部２１１との係止を解除し移動して繋留端部７１３が弛緩位置に動かされる第２の方向に揺動可能になっている。
【００３１】
安全機構９０は、リール部材９１と、第２の引き手段９２と、うず巻ばね９３と、つめ部材９４と、第１の付勢部材９４２と、伝達機構９５と、第２の付勢部材９６とを備えている。
【００３２】
リール部材９１は、リール軸線Ｌ２を中心として回転可能にリール軸１１１に取り付けられ、リール軸線Ｌ２の周りに互いに角間隔をとって複数の突起が設けられたラチェット部材９１１を有する。第２の引き手段９２は、上ろくろ４０に連結される連結端部９２２と、引張られて巻き取り可能にリール部材９１に固定される巻き端部９２１とを有する。なお、連結端部９２２は、上ろくろ４０ではなく定位ブロック７２に連結されてもよいことに留意されたい。
【００３３】
うず巻ばね９３は、巻き端部９２１がリール部材９１に巻き取られるように付勢するようリール部材９１に配置されている。
【００３４】
つめ部材９４は、枢動軸線を中心として枢動可能に枢軸１１２に設けられた枢動端部９４３と、枢動端部９４３と反対側のつめ端部９４４と、枢動端部９４３とつめ端部９４４との間の中間部９４１とを有する。つめ端部９４４は、枢動軸線を中心としてラチェット部材９１１のいずれかの突起に係止されてリール部材９１を所定の一方向に回転させて巻き端部９２１が巻き取られる係止位置（図１０参照）と、つめ端部９４４がラチェット部材９１１の突起との係止から解除されてリール部材９１が回転自在になる非係止位置（図４参照）との間に揺動するようになる。中間部９４１は伝達機構９５と当接するカム面９４５を有する。
【００３５】
第１の付勢部材９４２は、例えば、ねじりうず巻ばねを用い、つめ部材９４のつめ端部９４４が係止位置に移動するように付勢する。
【００３６】
伝達機構９５は、グリップスリーブ１０に設けられ、上側位置と下側位置との間に下パイプ２１の下端部に対して同軸的に移動する環状当接部材９５１と、当接部材９５１から下室１１７に向かってつめ部材９４のカム面９４５と接触する当接面９５３を有するカム端部に至って延伸する係止座９５２とを有する。当接部材９５１は、軸線方向Ｌ１において天井部１１５に対面するように設けられている。伝達機構９５は、レバー部材９５４とレバー部材９５４に付勢する付勢部材９５５とを更に有する。レバー９５４は、図２、５に示すように、係止座９５２に枢動可能に取り付けられた軸支部９５６と、軸支部９５６を支点として揺動する押し端部９５７と押し端部と反対側の例えばフック形状の回動端部９５８とを有する。レバー９５４は、軸支部９５６を支点として、回動端部９５８が固定部１１６に掛かり伝達機構９５を下側位置に定位させる引掛け位置（図２参照）、及び回動端部９５８が固定部１１６から離れるように移動されて伝達機構９５が上側位置に移動される非引掛け位置（図８参照）に揺動するようになっている。付勢部材９５５は、回動端部９５８が引掛け位置に移動するように付勢する弾性部材を用いる。
【００３７】
第２の付勢部材９６は、伝達機構９５が上側位置に移動するように付勢するばね部材を用いる。
【００３８】
ボタン手段８０は、押しボタン８１と、ボタン付勢部材８４と、作動部材８３とを有する。押しボタン８１は、上室１１４に配置されており、上方ストローク及び下方ストロークだけ移動させるようにグリップスリーブ１０に対して指で押動される。押しボタン８１は、上ろくろ４０がばね３０の付勢力に対抗して折畳位置に定位されるように定位孔５２中に係止され、押しボタン８１の上方ストローク移動に応じて定位孔５２から脱離されるように設けられる突起８２を有する。ボタン付勢部材８４は、突起８２が定位孔５２に保持されるように配置されている。
【００３９】
作動部材８３は、押しボタン８１に枢動可能に取り付けられており、うず巻ばねによって付勢される押し端部８３１と、定位ブロック７２による係止が解除される非作動位置（図２参照）と定位ブロック７２によって係止される作動位置（図６参照）との間に往復回動する作動端部８３２とを有する。
【００４０】
以下、本発明の傘の開閉動作を説明する。
【００４１】
図２〜４は、本発明の傘の閉傘折畳状態を示す。閉傘折畳状態において、中棒２０は折畳位置に、ランナー５０が遠隔位置に移動され、突起８２は定位孔５２に突き出されて定位され、骨組ユニット６０は屈曲されて閉傘状態に保持されている。このとき、第２の引き手段９２がリール部材９１によって巻取り状態に保持される。当接部材９５１が下側位置に保持されるように、当接部材９５１が押圧部５１の底端部５１１によって押されると、当接面９５３及びカム面９４５間の接触によってつめ端部９４４が非係止位置に保持され、リール部材９１が回動することができる。
【００４２】
開傘するとき、図６、７に示すように、手動操作で押しボタン８１を上方ストロークだけ移動させ、突起８２を定位孔５２から脱離させると、圧縮ばね３０の弾性力によって中棒２０の上端部を上ろくろ４０と共に折畳位置から伸長位置に移動させ、ランナー５０を近接位置に移動させるので、骨組ユニット６０が展開状態に定位される。定位ブロック７２は下パイプ２１の止め部２１１にて係止されて、第１の引き手段７１が引伸ばし位置に保持される。その間に、作動部材８３が作動位置に回動して定位ブロック７２に係止される。
【００４３】
押圧部５１の解放によって伝達機構９５は少し上向き移動されるが、回動端部９５８が固定部１１６に掛けられ下側位置に保持されるので、つめ端部９４４は非係止位置に保持される。
【００４４】
閉傘するとき、図８に示すように、手動操作で押しボタン８１を下方ストロークだけ移動させると、作動部材８３が動かされ、定位ブロック７２を第１の方向から第２の方向へ回動させ定位ブロック７２と第１の引き手段７１が弛緩位置に動かされる。ランナー５０は遠隔位置に移動され、骨組ユニット６０は屈折されて閉傘状態に保持される。そして、係止部材４１によって定位ブロック７２は上向きに移動しない。そのときに押しボタン８１の下方ストロークの移動によってレバー９５４の押し端部９５７が押され、回動端部９５８は非引掛け位置に動かされる。このようにして、図９、１０に示すように、伝達機構９５は、第２の付勢部材９６によって上側位置へ動かされ、当接部材９５１が天井部１１５に当接される。その間に、当接面９５３及びカム面９４５間の面接触によって、つめ端部９４４が第１の付勢部材９４２の弾性力によって非係止位置から係止位置に動かされる。このようにして、リール部材９１を付勢して一方向に回動させて、第２の引き手段９２を巻き取ることができる。
【００４５】
中棒２０を入れ子式に折畳むとき、図９、１０に示すように、うず巻ばね９３による弾性力によってリール部材９１が回転して第２の引き手段９２が巻き取られると、圧縮ばね３０の弾性力に対抗する押圧力で上ろくろ４０及びグリップスリーブ１０が移動される。押圧部５１が下向きに移動されると、第２の付勢部材９６の弾性力に対抗して伝達機構９５が下側位置に移動される。このとき、突起８２が定位孔５２にぱちんと嵌入して掛止されると、図２〜図４に示すように、傘は折畳状態に保持される。
【００４６】
中棒２０を折畳んでいる間、不意に滑ってグリップ１０又は上ろくろ４０を持たなかったとしても、図１０に示すように、つめ端部９４４とラチェット部材９１１の突起とが係止されているので、リール部材９１が繰り出し方向(図１０中時計回り方向)へ回転されることがなく、第２の引き手段９２及び上ろくろ４０が戻るように移動することを防止し、ランナー５０を保持することができ、中棒２０及び骨組ユニット６０が定位される。このように、中棒が不意に飛び出して傘が開くことを回避することができ、使用安全性を大幅に高めることができる。
【００４７】
なお、本発明によれば、押しボタン８１の下方ストローク移動によって、つめ端部９４４が係止位置に移動されると、骨組ユニット６０が折畳状態に保持され、ラチェット部材９１１とつめ端部９４４との係止状態を保持するためにボタンを押さえる必要がないため、使い勝手がよく簡単に中棒を折畳むことができることに留意されたい。
【００４８】
（第２の実施形態）
本発明に係るハンドル装置の第２の実施形態は、上記の第１の実施形態と同様に自動折畳傘に適用されるものである。本実施形態は、第１の実施形態と異なる点は、図１１と１２に示すように、押圧部５１は、上ろくろ４０から離れて上パイプ２２より延伸されており底端部５１１を有する。このようにして、押圧部５１は第２の付勢部材９６の弾性力に対抗して伝達機構９５の当接部材９５１に接触して係止される。中棒２０は折畳位置にあるとき、第２の付勢部材９６の弾性力に対抗して伝達機構９５を下側位置に保持させる。
【００４９】
また、押圧部５１は、定位孔５２が形成されている。押しボタン８１の突起８２が定位孔５２に係入されると、圧縮ばね３０の弾性力に対抗して中棒２０及び上ろくろ４０が折畳位置に保持され、また、押しボタン８１の上方ストローク移動により、突起８２は定位孔５２から脱離される。この形態において、レバー９５４及び付勢部材９５５を設けなくてもよい。
【００５０】
図１３と図１４に示すように、中棒２０は伸長位置に、ランナー５０が近接位置にあり、傘が開傘状態に保持されたとき、定位ブロック７２によって伝達機構９５が下側位置に保持されるので、つめ端部９４４は非係止位置に保持される。
【００５１】
図１５と図１６に示すように、押しボタン８１が下方ストロークだけ移動されると、定位ブロック７２が上側に移動され、第２の付勢部材９６の弾性力で伝達機構９５が上側位置に動かされるので、当接部材９５１が天井部１１５に接触して係止される。このようにして、第１の付勢部材９４２の弾性力によってつめ部材９４のつめ端部９４４が回動すると、係止位置に移動されてラチェット部材９１１の突起と係止される。
【００５２】
以上のように、中棒２０を折畳んでいる間、つめ端部９４４とラチェット部材９１１の突起とが係止されているので、リール部材９１が繰り出し方向への回転されることを防ぎ、第２の引き手段９２及び上ろくろ４０が逆向きに移動することなく、ランナー５０や、中棒２０、骨組ユニット６０を所定に定位させることができる。従って、中棒が不意に飛び出して傘が開くことを回避することができ、使用安全性を大幅に高めることができる。
【符号の説明】
【００５３】
１０  グリップスリーブ
１１  内壁
１１１  リール軸
１１２  枢軸
１１３  固定板
１１４  上室
１１５  天井部
１１６  固定部
１１７  下室
１２  外壁
２０  中棒
２１  下パイプ
２１１  止め部
２２  上パイプ
２３  中パイプ
３０  圧縮ばね
４０  上ろくろ
４１  係止部材
５０  ランナー
５１  押圧部
５１１  底端部
５２  定位孔
６０  骨組ユニット
７１  第１の引き手段
７１１  連結端部
７１２  引き紐
７１３  繋留端部
７２  定位ブロック
８０  ボタン手段
８１  押しボタン
８２  突起
８３  作動部材
８３１  押し端部
８３２  作動端部
８４  ボタン付勢部材
９０  安全機構
９１  リール部材
９１１  ラチェット部材
９２  第２の引き手段
９２１  巻き端部
９２２  連結端部
９３  うず巻ばね
９４  つめ部材
９４１  中間部
９４２  第１の付勢部材
９４３  枢動端部
９４４  つめ端部
９４５  カム面
９５  伝達機構
９５１  当接部材
９５２  係止座
９５３  当接面
９５４  レバー部材
９５５  付勢部材
９５６  軸支部
９５７  押し端部
９５８  回動端部
９６  第２の付勢部材
Ｌ１  軸線方向
Ｌ２  リール軸線方向 
【図１】
0005302349.tif 000002
【図２】
0005302349.tif 000003
【図３】
0005302349.tif 000004
【図４】
0005302349.tif 000005
【図５】
0005302349.tif 000006
【図６】
0005302349.tif 000007
【図７】
0005302349.tif 000008
【図８】
0005302349.tif 000009
【図９】
0005302349.tif 000010
【図１０】
0005302349.tif 000011
【図１１】
0005302349.tif 000012
【図１２】
0005302349.tif 000013
【図１３】
0005302349.tif 000014
【図１４】
0005302349.tif 000015
【図１５】
0005302349.tif 000016
【図１６】
0005302349.tif 000017